(57)【要約】【課題】縦長の容器を簡易な構造で安価に、人が水に接しなくて準自動化状態で洗浄出来る洗浄装置を提供する。【解決手段】先端を閉じかつ洗浄用散水穴を有する散水パイプをロート状集水容器の中央で集水容器の天端より低く、かつ散水パイプを上向き鉛直に設け、前記洗浄用散水穴の周囲に先端部にローラを、他端はヒンジで回転可能に固定したアーム構造とし、このアームにリミットスイッチとバネとを設け、洗浄容器を逆さにし散水パイプを洗浄容器内に所定深さ以上に入れた時、前記アームを洗浄容器外表面が押し下げることによりアームに取付けられたリミットスイッチの入力信号の発信により洗浄水が散水穴より噴出するようにした。【選択図】    図１
2004174478.tif 000002
【特許請求の範囲】
【請求項１】
先端口を閉じ、かつその先端口周辺に多数の散水穴を設けた洗浄用の散水パイプを、上部開閉蓋付ロート状集水容器の中央部で前記散水パイプの先端切口を上方鉛直に設け、その先端口（上端）は集水容器の天端より低くし、その散水パイプの散水穴周囲に、先端に水平方向の回転可能ローラ付の垂直回転用のアームを設ける。そのアームにリミットスイッチが設けられていて、洗浄しようとする容器を逆さにし容器の口から前記散水パイプの散水穴を所定の位置以上に入れると、前記リミットスイッチ付の垂直回転アームに容器の入口外表面が接触し、前記アームが下方へ回転しながら下げられて前記リミットスイッチが入り信号を発し、前記散水穴から容器中に洗浄水が噴出するようにしてあることを特徴とする容器の洗浄装置。
【発明の詳細な説明】
【発明の属する技術分野】
【０００１】
本発明は比較的縦長の狭い口を有する容器の洗浄用装置に関するものである。
【従来の技術】
【０００２】
従来のビン等縦長の容器を洗浄する場合、容器の入口を上にした、縦置き状態で洗浄しようとするビン等の上部の口より洗浄水を注ぎながらその液流で容器内の汚れを落とした後、容器を逆さにし容器内の洗浄汚水を排出するか、もしくは容器を逆さにし容器の入口付近に設けた上向き噴出口より容器内に洗浄水（又は液）を噴出し、その液流で容器内の汚れを落とし、その後その逆さの状態で洗浄排液を排出する方法等が自動化システムで工場内ラインとして大掛かりに行われている。
【発明が解決する課題】
【０００３】
上記のピン等の縦長の容器の従来の洗浄装置は次のような課題があった。第１には上記容器の洗浄装置は全自動洗浄方式のため装置が複雑でかつ大掛かりなものとなること。第２には当然価格も高くなること。即ち従来の縦長容器洗浄装置は主としてしょう油，日本酒用等の量産品の容器詰め自動化ライン用として開発されたものであり、人が高々数本のペットボトル等の洗浄用に使用されるものではなく、またそのような高々数本のペットボトル等の洗浄用の簡易準自動化洗浄装置は従来見当たらなかった。
【発明が解決しようとする課題】
【０００４】
本発明は人が高々数本のペットボトル等縦長の容器の内部を手をぬらさずにスタンド式でかつ簡単な構造・安価な装置で準自動的に洗える装置を開発しようとするものである。
【課題を解決するための手段】
【０００５】
上記課題を解決するための本発明の手段は、先端口を閉じかつその先端口周辺に多数の散水穴を設けた洗浄用の散水パイプを上部開閉蓋付ロート状集水容器の中央部に前記パイプの先端口を上方鉛直にかつ前記先端口は集水容器の天端より低く設けている。そして前記散水パイプの多数の散水穴の周囲に、先端に水平回転のローラ付アームを設け、そのアームにはアームの回転が所定量生ずると信号を発するリミットスイッチが設けられ、かつ前記ローラ付アームが洗浄容器の散水パイプ中への挿入につれ下方へ垂直回転可能に取り付けられている。また前記ローラ付下方回転アームにはバネが設けられている。そしてロート状の集水器の中央最深部には洗浄水の引抜管が取り付けられている。（図１参照）
【発明の効果】
【０００６】
多数の散水穴を有する散水パイプの周辺に必要な距離を保った先端回転ローラ付下方回転アームを設け前記アームのヒンジ固定端近くにリミットスイッチとバネを取り付ける。散水パイプはロート状の集水容器の中央部に図１に示すように取り付けられ、かつ、集水容器の天端より低い位置に納めてある。このような装置構造とすることによって、例えばペットボトルを逆さにし散水パイプの鉛直部に上部より所定深さ以上に挿入すると、アームの回転ローラとペットボトルとの接触摩擦作用によってアームが下方へ押し下げられるように下方回転する。この下方回転により所定位置までアームが下り、そこでリミットスイッチが作動し散水パイプの散水穴よりペットボトル内へ散水が行われる。アームは回転が容易であるためこのアームが所定位置より下がった状態でペットボトルの上下運動を行うとペットボトル内全体に散水パイプの散水穴より水が万辺なく勢いよく噴出衝突するのでペットボトル内全体の洗浄が行われ、かつ洗浄排水はペットボトルの口より洗浄が終わり次第自重で排出され、最終的にロート状の集水容器の下部より除かれる。このように構造が簡単でかつ充分な洗浄が安価な装置で可能となった。
【発明の実施の形態】
【０００７】
本発明の実施の形態を１実施例をもって図１に示す。本発明の洗浄装置（１）はキャスタ（１２）付架台（１１）に取り付けられている。洗浄水供給は先端が閉じられかつ散水穴（１９）付の散水パイプ（１８）が下方がロート状になった集水容器（１３）のほぼ中央に立設され、かつ散水容器（１３）の蓋（２）部よりやや低くなるように設けられている。そして前記蓋（２）は片方が回転可能なヒンジ止めがされている。ロート状集水容器の下部には排水管（１４）が設けられている。また垂直下方へ回転可能なアーム（２１）の一端はヒンジ（５）に固定され、他端には回転ローラー（９）が取り付けられている。アーム（２１）のヒンジ（５）固定の近くにはリミットスイッチ（２５）及びバネ（６）が下方の集水容器側面の側板（７）に取付けられている。そしてアーム（２１）はバネ（６）で所定位置に維持されているが、アーム（２１）の先端の回転ローラー（９）部を被洗浄容器（ペットボトル等）で所定量押し下げるとリミットスイッチ（２５）に信号が発生し、その信号によって給水バルブ（２２）が開き散水穴（１９）より散水されるようになっている。このような装置構造となっている本発明の洗浄装置の使用方法は以下の通りである。例えばペットボトルの内部を洗浄しようとすると洗浄装置（１）の蓋（２）を開きペットボトル（３）を逆さにし、集水容器（１３）の中央部にあるアーム（２１）の間に挿し込んでいく。するとペットボトルの入口付近がアーム（２１）の先端ローラ（９）に接触開始するが、さらに挿し込むとアーム（２１）は下方へ回転しながら下がる。所定位置だけアーム（２１）が下がるとリミットスイッチ（２５）が信号を発し給水バルブ（２２）が開く。即ち散水穴（１９）より散水が開始される。この状態はペットボトル（３）内にほぼ散水穴（１９）が入った状態の時であり、従って散水穴（１９）よりの散水はペットボトル（３）内に噴出されるためペットボトル内が洗浄されることになる。洗浄の終わった排水はペットボトルの入口より自重で落下し、ロート状の集水容器（１３）の排水管（１４）より取り除かれる。更にペットボトル（３）を上下に運動させてもペットボトル（３）の中に散水穴（１９）が入っている状態の時のみ散水穴（１９）より散水される状況にアーム（２１）及びリミットスイッチ（２５）の位置をセット出来るためこの所定位置以下でペットボトルを上下に動かすと散水穴（１９）の散水がペットボトル内全体に行き渡るように散水され、洗浄が良好に行われる。このようにして洗浄をし、洗浄が終わったらペットボトルをそのまま手で上に持ち上げるとアーム（２１）は定位置に戻り給水も止まり、かつペットボトル内の排水の排除も終わるのでそのままペットボトルを洗浄装置（１）より取り外し、その後蓋（２）を閉める。これで洗浄は完了となる。
【図面の簡単な説明】
【図１】本発明の洗浄装置
【符号の説明】
１．  洗浄装置
２．  蓋を開けた状態
２′．蓋を閉めた状態
３．  容器（例ペットボトル）
４．  容器の洗浄状態
４′．容器を上げた状態
５．  ヒンジ
６．  バネ
７．  側板
８．  容器でスイッチが入った状態
９．  回転ローラ（散水状況位置）
９′．回転ローラ（散水停止位置）
１０．  ローラ用ヒンジ（散水状況位置）
１０′．ローラ用ヒンジ（散水停止位置）
１１．  架台
１２．  キャスタ
１３．  集水容器
１４．  排水管
１５．  給水管
１６．  洗浄水
１７．  排水
１８．  散水パイプ
１９．  散水穴
２０．  信号線
２１．  アーム
２２．  給水バルブ
２３．  排水バルブ
２４．  排水の水滴
２５．  リミットスイッチ
【図１】
2004174478.tif 000003